(57)【要約】【課題】防塵機能を維持しつつ、携帯電話機を簡単に組み立て、レンズユニットの位置ずれを確実に防止する。【解決手段】フロントケース８とリアケース１１とを互いに嵌合させて、携帯電話機１が組み立てられた際に、フロントケース８の内面に形成された押圧用リブ８ａによって、押圧用クッション部材１４が押圧され、押圧用クッション部材１４によってレンズユニット１５の背面が押圧され、円筒形部４３の先端面４３ａの周縁部がレンズ突当て壁の環状壁面４５ａに密着状態で押し付けられ、レンズユニット１５の配置箇所を経由した外部から上部筐体６内部への塵埃の侵入を防止することができると共に、レンズユニット１５の位置ずれを確実に防止することができる。【選択図】図１
2008209662.tif 000002
【特許請求の範囲】
【請求項１】
撮影機能を有する電子機器において、筐体の内面に形成されたレンズ配置部に、レンズユニットが位置決めされた状態で実装されているレンズユニットの実装構造であって、
前記レンズ配置部は、前記筐体に設けられた撮影用開口部に形成され、前記レンズユニットの先端周縁が突き当てられる先細りのテーパ状のレンズ突当て壁と、該レンズ突当て壁から延設され、前記レンズユニットの配置時に、該レンズユニットを通る光軸が前記撮影用開口部の中心軸と一致するように前記レンズユニットを案内すると共に、配置された該レンズユニットの変位を規制する枠状のレンズ押え部とを備え、
前記レンズユニットが、前記レンズ押え部から挿入され、前記先端周縁が前記レンズ突当て壁に突き当てられることによって、前記レンズユニットを通る光軸が前記撮影用開口部の中心軸に一致するように配置されていることを特徴とする電子機器におけるレンズユニットの実装構造。
【請求項２】
前記レンズユニットは、略円形状の先端面を有すると共に、前記レンズ突当て壁は、前記撮影用開口部の中心軸の周りに回転対称に形成されている環状壁面を有していることを特徴とする請求項１記載の電子機器におけるレンズユニットの実装構造。
【請求項３】
前記レンズユニットは、角形部と、該角形部の先端側に形成された円筒形部とからなる鏡筒を有してなると共に、前記レンズ配置部は、前記円筒形部の先端面の周縁部が突き当てられ、外部へ向かって縮径するように傾斜した前記環状壁面を有する前記レンズ突当て壁と、角環状に形成され、配置時に前記レンズユニットを案内すると共に、挿通された前記レンズユニットの前記角形部の周側面を囲んで押え、前記レンズユニットの変位を規制し、かつ、前記レンズユニットの傾きを抑える前記レンズ押え部とを備えていることを特徴とする請求項２記載の電子機器におけるレンズユニットの実装構造。
【請求項４】
前記レンズユニットは、前記レンズ押え部から挿入されることによって、前記レンズユニットを通る光軸が前記撮影用開口部の中心軸に一致するように配置されると共に、前記レンズユニットの先端周縁が前記環状壁面に突き当てられ、かつ、前記レンズ押え部によって変位を規制されることによって、前記撮影用開口部の中心軸に直交する方向に沿って位置決めされて、前記レンズ配置部に配置されていることを特徴とする請求項２又は３記載の電子機器におけるレンズユニットの実装構造。
【請求項５】
前記レンズユニットは、前記レンズ押え部から挿入され、前記レンズユニットの先端周縁が前記環状壁面に突き当てられることによって、前記筐体の厚さ方向、長さ方向及び幅方向に沿って位置決めされて、前記レンズ配置部に配置されていることを特徴とする請求項４記載の電子機器におけるレンズユニットの実装構造。
【請求項６】
前記撮影用開口部の前記レンズユニットの外面側には、該レンズユニットを保護するためのスクリーン部材が配置されていることを特徴とする請求項１乃至５のいずれか１に記載の電子機器におけるレンズユニットの実装構造。
【請求項７】
請求項１乃至６のいずれか１に記載の電子機器におけるレンズユニットの実装構造を備えたことを特徴とする撮影機能を有する電子機器。
【発明の詳細な説明】
【技術分野】
【０００１】
この発明は、電子機器におけるレンズユニットの実装構造及び撮影機能を有する電子機器に係り、例えば、撮影機能を有する携帯電話機等の電子機器における電子カメラ部を構成するレンズユニットの実装構造及び撮影機能を有する電子機器に関する。
【背景技術】
【０００２】
近年、携帯型の電子機器としての携帯電話機には、本来の通話機能や、データ通信機能のみならず、電子カメラが搭載されたものも一般化されてきており、例えば、電子メールの送受信に際して、送信者は、周囲の風景や自分自身の顔等を画像データとして添付して受信者側に送信し、受信者はディスプレイ上で相手の様子等を確認することができるようになっている。
【０００３】
このような携帯電話機の電子カメラは、図１３に示すように、被写体から到来した光が入射し、鏡筒にカメラレンズが内蔵されているレンズユニット１０１と、所定の画像信号を得るためのＤＳＰ（digital signal processor）等が内蔵されたカメラ回路モジュールとを有している。なお、レンズユニット１０１の前面側には、カメラレンズ等を保護するためのスクリーン部材１０２が配置されている。
【０００４】
レンズユニット１０１は、外形が略直方体形状の角形部１０３の先端側に円筒形部１０４が形成されてなり、例えば標準レンズからなるカメラレンズ等を保持する鏡筒を有している。
スクリーン部材１０２は、円板状の透明部材からなると共に、内面の周縁部には、遮光領域１０２ａが印刷によって形成されている。
【０００５】
図１３乃至図１５に示すように、筐体１０５を構成するリアケース１０６のカメラレンズが保持されたレンズユニット１０１が配置される部位には、撮影用開口１０７が形成されている。この撮影用開口１０７のレンズ配置部１０８にレンズユニット１０１が配置され、外部側縁部のスクリーン配置部１０９にスクリーン部材１０２が配置されている。
また、レンズユニット１０１とスクリーン部材１０２との間には、弾性部材からなるリング状の防塵用クッション部材１１１が介挿されている。
【０００６】
レンズ配置部１０８は、その内壁面１１２ａが撮影用開口１０７を臨むように撮影用開口１０７の内部側縁部に角環状に立設され、挿通されたレンズユニット１０１の角形部１０３を囲んでレンズユニット１０１の変位を規制する押えリブ１１２を有している。
スクリーン配置部１０９は、撮影用開口１０７の外部側縁部に形成され、スクリーン部材１０２を収納配置するための凹部１１３を有している。スクリーン部材１０２は、リング状の両面粘着シート１１４によって、スクリーン配置部１０９の凹部１１３の底面（撮影用開口１０７の外部側縁部）１１３ａに貼り付けられている。
【０００７】
ここで、例えば、図１３に示すように、レンズユニット１０１を通る光軸Ｙ1とスクリーン部材１０２の窓枠部１０２ｂの中心軸Ｙ2とが一致するように、レンズユニット１０１とスクリーン部材１０２とが配置される。
なお、光学部材の光軸調整を行う場合に、例えば、光学部材が取り付けられた半球状部材を、球面状の受け面を有するリング部材に接合させるときには、中央部に孔部が形成された半球状部材を、半球状部材の表面の曲率と同一の曲率の受け面に当接させた状態で、光軸を調整することも行われる（例えば、特許文献１参照。）。
【０００８】
また、リアケース１０６と組み合わされるフロントケース１１５の内面の所定の部位には、クッション部材１１６を介してレンズユニット１０１の背面を押圧する押圧用リブ１１５ａが形成されている。ここで、押圧用リブ１１５ａは、レンズユニット１０１の角形部１０３の断面寸法と、略同一の大きさに設定されると共に、撮影用開口１０７の配置箇所に対応した箇所に形成されている。
【０００９】
筐体１０５のフロントケース１１５とリアケース１０６とを互いに嵌合させ又は雄ねじや雌ねじ等の固定具を用いて締め付けて、当該携帯電話機が組み立てられた際に、フロントケース１１５の内面に形成された押圧用リブ１１５ａによって、押圧用クッション部材１１６が押圧され、圧縮荷重を受けて変形して、反発力によって、自身をレンズユニット１０１及び押圧用リブ１１５ａに押し付け、これによって、レンズユニット１０１の背面が押圧され、レンズユニット１０１は、スクリーン配置部１０９に取り付けられたスクリーン部材１０２との間に介在している防塵用クッション部材１１１に押し付けられて固定される。
【００１０】
ここで、防塵用クッション部材１１１は、レンズユニット１０１の円筒形部１０４の先端面（天面）１０４ａと、スクリーン部材１０２の背面とによって挟まれた状態で両側から押圧力を受けて圧縮変形し（押し潰され）、レンズユニット１０１及びスクリーン部材１０２に密着する。これによって、外部から筐体１０５内部への塵埃等の侵入が防止される。
【特許文献１】特開昭６１−２４０２０９号公報
【発明の開示】
【発明が解決しようとする課題】
【００１１】
解決しようとする第１の問題点は、上記従来技術では、携帯電話機の組立てで、防塵用クッション部材を組み込む際に、取扱いが煩雑となるという点である。
すなわち、携帯電話機においては、電子カメラが搭載されていても、小型化及び薄型化の要請は変わらず、防塵用クッション部材も小型化され、かつ、この防塵用クッション部材は、柔軟な材料からなっているので、扱いが難しく、熟練を要し、手間と時間がかかってしまう。
【００１２】
また、第２の問題点は、上記従来技術では、防塵用クッション部材の反力でスクリーン部材を浮き上がらせてしまうという点である。
すなわち、図１６（ａ）及び同図（ｂ）に示すように、レンズユニット１０１の先端面１０４ａに防塵用クッション部材１１１を配置して、スクリーン部材１０２を取り付け、防塵用クッション部材１１１を両側から押圧して、圧縮変形させ、レンズユニット１０１及びスクリーン部材１０２に密着させる際に、防塵用クッション部材１１１の両側からの押圧力による潰し量が不適正であり、防塵用クッション部材１１１に適正な押圧力がかかっていないと、防塵用クッション部材１１１の反力が過大となり、スクリーン部材１０２を押し上げてしまい、引き剥がしてしまうことがある。
特に、押圧力が不均一であったり、貼着力が弱い部位があると、同図（ｃ）に示すように、スクリーン部材１０２の一部を押し上げて引き剥がしてしまい、最悪の場合には、スクリーン部材１０２を脱落させてしまう。
【００１３】
また、第３の問題点は、上記従来技術では、レンズユニットの位置ずれを確実に防止できないという点である。
すなわち、一般に、部品公差を考慮して、筐体の部品の取付部位等には、所定のクリアランスが確保されている（ここでは、例えば、レンズ配置部１０８の押えリブ１１２の寸法Ｓ1や、スクリーン配置部１０９の凹部１１３の寸法Ｓ2等）が、このクリアランスのために、組立て時に、例えば、図１３に示すように、レンズユニット１０１を通る光軸Ｙ1とスクリーン部材１０２の窓枠部１０２ｂの中心軸Ｙ2とが一致した状態で、レンズユニット１０１とスクリーン部材１０２とが配置されずに、最悪の場合で、図１７に示すように、レンズユニット１０１が筐体１０５の上部側（図１３中矢印Ｐ1で示す方向）にずれて配置され、スクリーン部材１０２が筐体１０５の下部側（図１３中矢印Ｐ2で示す方向）にずれて配置されると、無視できない中心軸ずれ量Ｅ1が生じてしまい、この矯正が困難である。
【００１４】
また、第４の問題点は、上記従来技術では、例えば、スクリーン部材の窓枠部のデザインにおける自由度が制約されてしまうという点である。
すなわち、一般に、スクリーン部材の窓枠部の大きさは、スクリーン部材や、防塵用クッション部材、レンズユニット、リアケース（フロントケース）等の構成部品（構成部材）の寸法のばらつき（組立ばらつきを含む）を考慮して設定されるが、この窓枠部を、略所定の大きさに限定せざるを得ない。
【００１５】
例えば、防塵用クッション部材１１１が、その組立ずれにより、図１８に示すように、同図中矢印Ｐ3の方向にずれて、スクリーン部材１０２の窓枠部１０２ｂから、防塵用クッション部材１１１が窓枠部１０２ｂの領域（大きさ（直径）Ｑの範囲）内にはみ出して、視認されてしまうことがないように、スクリーン部材１０２の窓枠部１０２ｂの大きさは、所定の大きさ以上には設定できない。
また、図１９に示すように、レンズユニット１０１の位置ずれによるカメラ画角のばらつきが生じるので、このばらつきを考慮する必要から、スクリーン部材１０２の窓枠部１０２ｂの大きさＱは、大きめに設定する必要があり、所定の大きさ以下には設定できない。
【００１６】
この発明は、上述の事情に鑑みてなされたもので、防塵機能を維持しつつ、携帯電話機等を簡単に組み立てることができる電子機器におけるレンズユニットの実装構造及び撮影機能を有する電子機器を提供することを第１の目的としている。
また、スクリーン部材の浮上り等の不具合を防止することができる電子機器におけるレンズユニットの実装構造及び撮影機能を有する電子機器を提供することを第２の目的としている。
【００１７】
また、レンズユニットの位置ずれを確実に防止することができる電子機器におけるレンズユニットの実装構造及び撮影機能を有する電子機器を提供することを第３の目的としている。
また、例えば、スクリーン部材の窓枠部のデザインにおける自由度を高めることができる電子機器におけるレンズユニットの実装構造及び撮影機能を有する電子機器を提供することを第４の目的としている。
【課題を解決するための手段】
【００１８】
上記課題を解決するために、請求項１記載の発明は、撮影機能を有する電子機器において、筐体の内面に形成されたレンズ配置部に、レンズユニットが位置決めされた状態で実装されているレンズユニットの実装構造に係り、上記レンズ配置部は、上記筐体に設けられた撮影用開口部に形成され、上記レンズユニットの先端周縁が突き当てられる先細りのテーパ状のレンズ突当て壁と、該レンズ突当て壁から延設され、上記レンズユニットの配置時に、該レンズユニットを通る光軸が上記撮影用開口部の中心軸と一致するように上記レンズユニットを案内すると共に、配置された該レンズユニットの変位を規制する枠状のレンズ押え部とを備え、上記レンズユニットが、上記レンズ押え部から挿入され、上記先端周縁が上記レンズ突当て壁に突き当てられることによって、上記レンズユニットを通る光軸が上記撮影用開口部の中心軸に一致するように配置されていることを特徴としている。
【００１９】
また、請求項２記載の発明は、請求項１記載の電子機器におけるレンズユニットの実装構造に係り、上記レンズユニットは、略円形状の先端面を有すると共に、上記レンズ突当て壁は、上記撮影用開口部の中心軸の周りに回転対称に形成されている環状壁面を有していることを特徴としている。
【００２０】
また、請求項３記載の発明は、請求項２記載の電子機器におけるレンズユニットの実装構造に係り、上記レンズユニットは、角形部と、該角形部の先端側に形成された円筒形部とからなる鏡筒を有してなると共に、上記レンズ配置部は、上記円筒形部の先端面の周縁部が突き当てられ、外部へ向かって縮径するように傾斜した上記環状壁面を有する上記レンズ突当て壁と、角環状に形成され、配置時に上記レンズユニットを案内すると共に、挿通された上記レンズユニットの上記角形部の周側面を囲んで押え、上記レンズユニットの変位を規制し、かつ、上記レンズユニットの傾きを抑える上記レンズ押え部とを備えていることを特徴としている。
【００２１】
また、請求項４記載の発明は、請求項２又は３記載の電子機器におけるレンズユニットの実装構造に係り、上記レンズユニットは、上記レンズ押え部から挿入されることによって、上記レンズユニットを通る光軸が上記撮影用開口部の中心軸に一致するように配置されると共に、上記レンズユニットの先端周縁が上記環状壁面に突き当てられ、かつ、上記レンズ押え部によって変位を規制されることによって、上記撮影用開口部の中心軸に直交する方向に沿って位置決めされて、上記レンズ配置部に配置されていることを特徴としている。
【００２２】
また、請求項５記載の発明は、請求項４記載の電子機器におけるレンズユニットの実装構造に係り、上記レンズユニットは、上記レンズ押え部から挿入され、上記レンズユニットの先端周縁が上記環状壁面に突き当てられることによって、上記筐体の厚さ方向、長さ方向及び幅方向に沿って位置決めされて、上記レンズ配置部に配置されていることを特徴としている。
【００２３】
また、請求項６記載の発明は、請求項１乃至５のいずれか１に記載の電子機器におけるレンズユニットの実装構造に係り、上記撮影用開口部の上記レンズユニットの外面側には、該レンズユニットを保護するためのスクリーン部材が配置されていることを特徴としている。
【００２４】
また、請求項７記載の発明に係る電子機器は、請求項１乃至６のいずれか１に記載の電子機器におけるレンズユニットの実装構造を備えたことを特徴としている。
【発明の効果】
【００２５】
この発明の構成によれば、レンズユニットは、その先端周縁がレンズ突当て壁に突き当てられて、レンズ配置部に配置されるので、防塵機能を維持しつつ、携帯電話機を簡単に組み立てることができる。
また、撮影用開口部のレンズユニットの外面側にスクリーン部材を配置することによって、レンズユニットは、スクリーン部材と独立に配置され、レンズユニットとスクリーン部材との間に、例えば、防塵クッションを介挿させる必要がないので、スクリーン部材の浮上り等の不具合を防止することができる。
【００２６】
また、レンズユニットが、レンズ押え部から挿入され、先端周縁がレンズ突当て壁に突き当てられることによって、レンズユニットを通る光軸が撮影用開口部の中心軸に一致するように配置されるので、レンズユニットの位置ずれを確実に防止することができる。
また、撮影用開口部のレンズユニットの外面側にスクリーン部材を配置することによって、レンズユニットは、スクリーン部材と独立に配置され、レンズユニットとスクリーン部材との間に、例えば、防塵クッションを介挿させる必要がなく、かつ、レンズユニットの位置ずれによる例えば画角のばらつきを考慮する必要がないので、スクリーン部材の窓枠のデザインにおける自由度を高めることができる。
【発明を実施するための最良の形態】
【００２７】
レンズユニットは、その先端周縁がレンズ突当て壁に突き当てられて、レンズ配置部に配置されることによって、防塵機能を維持しつつ、携帯電話機を簡単に組み立てるという第１の目的を実現した。
また、撮影用開口部のレンズユニットの外面側にスクリーン部材を配置することによって、レンズユニットは、スクリーン部材と独立に配置され、レンズユニットとスクリーン部材との間に、例えば、防塵クッションを介挿させる必要がないことにより、スクリーン部材の浮上り等の不具合を防止するという第２の目的を実現した。
【００２８】
また、レンズユニットが、レンズ押え部から挿入され、先端周縁がレンズ突当て壁に突き当てられることによって、レンズユニットを通る光軸が撮影用開口部の中心軸に一致するように配置されることにより、レンズユニットの位置ずれを確実に防止するという第３の目的を実現した。
また、撮影用開口部のレンズユニットの外面側にスクリーン部材を配置することによって、レンズユニットは、スクリーン部材と独立に配置され、レンズユニットとスクリーン部材との間に、例えば、防塵クッションを介挿させる必要がなく、かつ、レンズユニットの位置ずれによる例えば画角のばらつきを考慮する必要がないことにより、スクリーン部材の窓枠のデザインにおける自由度を高めるという第４の目的を実現した。
【実施例１】
【００２９】
図１は、この発明の第１の実施例である携帯電話機の要部の構成を示す断面図、図２は、同携帯電話機の構成を示す開状態の背面図、図３は、同携帯電話機の構成を示す開状態の正面図、図４は、同携帯電話機の構成を示すブロック図、図５は、同携帯電話機のレンズ実装構造の構成を説明するための分解斜視図、図６は、図５のＡ部を拡大して示す拡大図、図７及び図８は、同レンズ実装構造の構成及び同携帯電話機の組立方法を説明するための説明図、また、図９乃至図１１は、同レンズ実装構造の機能を説明するための説明図である。
【００３０】
この例の携帯電話機１は、本来の通話機能や、データ通信機能に加えて、内蔵された電子カメラによる撮影機能を有し、図２及び図３に示すように、折畳可能な筐体２を備えると共に、上部ユニット３と下部ユニット４とが、折畳可能なようにヒンジ部５で相互に結合されて構成されている。
【００３１】
筐体２を構成する上部筐体６（下部筐体７）は、例えばＡＢＳ樹脂等の合成樹脂成形品からなり、図１乃至図３に示すように、それぞれ、内面側を構成するフロントケース８（９）と、外面側を構成するリアケース１１（１２）とを有し、組み合されたフロントケース８（９）とリアケース１１（１２）とが、リブにおける嵌合によって、又は雌ねじや雄ねじ等の固定具による締付けによって、各種構成部品が内部に収納され、又は取り着けられた状態で、組み立てられてなっている。
【００３２】
また、フロントケース８の内面の所定の部位には、図１に示すように、押圧用クッション部材１４を介してレンズユニット１５の背面４２ａを押圧するための押圧用リブ８ａが形成されている。ここで、押圧用リブ８ａは、レンズユニット１５の角形部４２の断面寸法と、略同一の大きさに設定されると共に、撮影用開口部１６の形成箇所に対応した箇所に形成されている。
また、リアケース１１の上部（ヒンジ部５と反対側）には、撮影窓としての撮影用開口部１６が設けられ、この撮影用開口部１６の内部側には、鏡筒の内部にカメラレンズ１７が保持されているレンズユニット１５が配置されるレンズ配置部１８が形成され、外部側縁部に、スクリーン部材１９が配置されるスクリーン配置部２１がそれぞれ形成されている。
【００３３】
この携帯電話機１は、図２乃至図４に示すように、当該携帯電話機本体の構成各部を制御する制御部２３と、制御部２３が実行する処理プログラムや各種データ等を記憶するための記憶部２４と、例えば周囲の風景や人物等を撮影する電子カメラ部２５と、電波の送受信を行うアンテナ２６と、所定のプロトコルに従って通話やデータ通信を行うために用いられる無線通信部２７と、例えば受話音声を出力する受話部２８と、例えば着信時に着信音を出力する音声出力部２９と、折畳時に内側となる側（内面側）に配設され液晶表示装置からなり例えば機能設定画面や、待受画面等が表示される表示部３１と、数字や文字の入力操作等を行うための多数の各種操作キー等からなる操作部３２と、送話音声を入力するマイクロフォンからなる送話部３３とを備えている。
【００３４】
電子カメラ部２５は、図１及び図４に示すように、被写体から到来した光が入射し、鏡筒にカメラレンズ１７が内蔵されているレンズユニット１５と、所定の画像信号を得るためのＤＳＰ等が内蔵されたカメラ回路モジュール３５とを有している。
カメラ回路モジュール３３は、図４に示すように、カメラレンズ１７を介して結像した画像を光電変換して電気信号としての画像信号を出力するＣＭＯＳ撮像素子等からなる撮像デバイス３６から送られてきた画像信号をＡ／Ｄ変換するＡ／Ｄ変換部３７と、デジタル化した信号にガンマ変換、色空間変換等の画像処理を施す画像処理部３８とを有している。
なお、レンズユニット１５の前面側には、カメラレンズ１７等を保護するためのスクリーン部材１９が配置されている。
【００３５】
この例では、レンズユニット１５は、リアケース１１とフロントケース８との間に挟持され、位置決めされた状態で上部筐体６内に実装されている。
すなわち、この例のレンズ実装構造４１は、リアケース１１の上部に設けられた撮影用開口部１６の内部側に形成されたレンズ配置部１８に、レンズユニット１５が位置決めされた状態で配置され、押圧用クッション部材１４を介して、レンズユニット１５がフロントケース８の内面に形成された押圧用リブ８ａによって、その背面４２ａを押圧されて、上部筐体６に実装されて、概略構成されている。
このレンズユニット１５は、外形が略直方体形状の角形部４２の先端側に円筒形部４３が形成されてなり、例えば標準レンズからなるカメラレンズ１７等を保持する保持体としての鏡筒を有している。なお、レンズユニット１５は、可撓性印刷回路としてのＦＰＣ（Flexible Printed Circuit）５１を介して、カメラ回路モジュール３３に電気的に接続されている。
【００３６】
レンズ配置部１８は、撮影用開口部１６の内部側に形成され、レンズユニット１５の円筒形部４３の先端面（天面）４３ａの周縁部が突き当てられ、先細りのテーパ状に（外部（被写体側）へ向かって縮径するように）傾斜した擂鉢状の環状壁面４５ａを有するレンズ突当て壁４５と、レンズ突当て壁４５から上部筐体６の内部側に、角環状に形成され、配置時に、レンズユニット１５を、そのカメラ中心軸Ｘ2が傾かないように（レンズユニット１５を通る光軸が開口中心軸Ｘ1に一致するように）、案内すると共に、円筒形部４３の先端面４３ａの周縁部がレンズ突当て壁４５に突き当てられると、レンズユニット１５の変位を規制する押えリブ４６とを備えている。
【００３７】
ここで、レンズ突当て壁４５の環状壁面４５ａは、上部筐体６の厚さ方向に沿った撮影用開口部部１６の中心軸Ｘ1の周りに、回転対称となるように形成され、この例では、対称軸が開口中心軸Ｘ1に一致した所定の頂角の円錐の側壁面の一部に対応したリング状領域とされている。ここで、この環状壁面４５ａの縦断面の輪郭は、直線状とされている。
これにより、先端面４３ａが円形のレンズユニット１５が、そのカメラ中心軸Ｘ2が傾かないように（すなわち、光軸と上記中心軸Ｘ1とが一致するように）、先端面４３ａが環状壁面４５ａに突き当てられると、レンズユニット１５は、その寸法のばらつきに依らず、カメラ中心軸Ｘ2（すなわち、光軸）が開口中心軸Ｘ1に一致した状態で、したがって、開口中心軸Ｘ1に直交する上部筐体６の長さ方向及び幅方向に沿って正確に位置決めされる。
【００３８】
押えリブ４６は、その内壁面４５ａが上部筐体６の厚さ方向に沿うように形成され、かつ、その内部にレンズユニット１５の角形部４２が嵌め込まれると共に、内壁面４６ａによって囲まれた領域の寸法が、レンズユニット１５の角形部４２の断面の寸法と略同一となるように形成されている。但し、押えリブ４６は、内壁面４６ａと角形部４２との間に、構成部品（構成部材）の寸法の精度に応じて設定された所定のクリアランスが確保されるように形成される。
これによって、レンズユニット１５が、押えリブ４６に挿入されると、カメラ中心軸Ｘ2が傾かないように、上部筐体６の厚さ方向に沿って姿勢が整えられた状態で、押えリブ４６の内壁面４６ａによって案内され、この状態で、レンズユニット１５の円筒形部４３の先端面４３ａの周縁部がレンズ突当て壁４５の環状壁面４５ａに突き当てられる。
【００３９】
レンズユニット１５は、カメラ中心軸Ｘ2が傾くことなく適正に、円筒形部４３の先端面４３ａの周縁部がレンズ突当て壁４５の環状壁面４５ａに突き当てられた状態で、上部筐体６の厚さ方向、長さ方向及び幅方向に沿って正確に位置決めされてレンズ配置部１８に配置される。
また、レンズユニット１５は、円筒形部４３の先端面４３ａの周縁部がレンズ突当て壁４５の環状壁面４５ａに突き当てられた状態で、角形部４２の外壁面４２ｂが押えリブ４６の内壁面４６ａによって押えられて、変位が規制されて固定される。すなわち、上部筐体６の長さ方向及び幅方向に沿った変位と、カメラ中心軸Ｘ2が傾くような（すなわち、光軸が傾くような）回転変位が抑制される。
【００４０】
さらに、上部筐体６のフロントケース８とリアケース１１とを互いに嵌合させ又は雄ねじや雌ねじ等の固定具を用いて締め付けて、当該携帯電話機１が組み立てられた際に、フロントケース８の内面に形成された押圧用リブ８ａによって、押圧用クッション部材１４が押圧され、圧縮荷重を受けて変形して、反発力によって、自身をレンズユニット１５及び押圧用リブ８ａに押し付ける。
これによって、レンズユニット１５の背面４２ａが押圧され、レンズユニット１５は、上部筐体６の厚さ方向、長さ方向及び幅方向に沿った変位と、例えば、カメラ中心軸Ｘ2が傾くような（すなわち、光軸が傾くような）回転変位が抑制されて固定される。
この状態で、レンズユニット１５は、上部筐体６の厚さ方向、長さ方向及び幅方向に沿って正確に位置決めされて、その寸法のばらつきや、組立て時の配置のばらつき等による影響が排除されて、レンズ配置部１８にずれることなく確実に固定される。
【００４１】
スクリーン配置部２１は、リアケース１１の撮影用開口部１６の外部側縁部に形成され、スクリーン部材１９を収納配置するための凹部４８を有している。
スクリーン部材１９は、円板状の透明部材からなると共に、内面の周縁部には、内部を視認不可とするための遮光領域１９ａが、印刷によって形成されている。スクリーン部材１９は、リング状の両面粘着シート４９によって、スクリーン配置部２１の凹部４８の底面（撮影用開口１６の外部側縁部）４８ａに貼り付けられている。
【００４２】
ここで、レンズユニット１５のカメラ中心軸Ｘ2と、スクリーン部材１９の中心軸、すなわち、中心部の窓枠部１９ｂの中心軸Ｘ3とは合わせられている。
また、一般に、スクリーン部材１９の窓枠部１９ｂの大きさは、スクリーン部材１９や、レンズユニット１５、リアケース１１等の構成部品（構成部材）のばらつき（組立ばらつき）を考慮して設定される（図１０参照）と共に、レンズユニット１５の位置ずれによる画角のばらつきに応じて設定される（図１１参照）。
この例では、防塵用クッション部材が廃されたことと、レンズユニットの位置ずれが抑制されることによる画角のばらつきの最小化とによって、従来技術に比較して、窓枠部１９ｂの大きさの設定可能な範囲が拡大される。
【００４３】
次に、図７乃至図１１を参照して、この例の携帯電話機１の組立方法について説明する。
まず、図７及び図８に示すように、リアケース１１のスクリーン配置部２１に、両面粘着シート４９を用いてスクリーン部材１９を取り付ける。
次に、スクリーン部材１９が取り付けられたリアケース１１を、撮影窓側（外面側）を下向きとし、レンズユニット１５を、円筒形部４３側を下向きとし、リアケース１１の内面側から、レンズ配置部１８の押えリブ４６に挿通していく。
【００４４】
この際、レンズユニット１５が、押えリブ４６に挿入されると、カメラ中心軸Ｘ2が傾くことなく、上部筐体６の厚さ方向に沿うように姿勢が整えられた状態で、押えリブ４６の内壁面４６ａによって案内され、この状態で、レンズユニット１５の円筒形部４３の先端面４３ａの周縁部がレンズ突当て壁４５の環状壁面４５ａに突き当てられる。
ここで、押えリブ４６の内壁面４６ａによって囲まれた開口部内にレンズユニット１５の角形部４２が嵌め込まれる。
【００４５】
こうして、レンズユニット１５は、図９及び図１０に示すように、カメラ中心軸Ｘ2が傾くことなく適正に、円筒形部４３の先端面４３ａの周縁部がレンズ突当て壁４５の環状壁面４５ａに突き当てられた状態で、上部筐体６の厚さ方向、長さ方向及び幅方向に沿って正確に位置決めされてレンズ配置部１８に配置される。
また、レンズユニット１５は、円筒形部４３の先端面４３ａの周縁部がレンズ突当て壁４５の環状壁面４５ａに突き当てられた状態で、角形部４２の外壁面４２ｂが押えリブ４６の内壁面４６ａによって押えられて、変位が規制されて固定される。すなわち、上部筐体６の長さ方向及び幅方向に沿った変位と、光軸が傾くような回転変位が抑制される。
【００４６】
次に、レンズユニット１５の背面４２ａに押圧用クッション部材１４を載置する。
次に、上部筐体６のフロントケース８とリアケース１１とを互いに嵌合させ又は雄ねじや雌ねじ等の固定具を用いて締め付けて、当該携帯電話機１を組み立てる。
これによって、フロントケース８の内面に形成された押圧用リブ８ａによって、押圧用クッション部材１４が押圧され、圧縮荷重を受けて変形して、反発力によって、自身をレンズユニット１５及び押圧用リブ８ａに押し付け、これによって、レンズユニット１５の背面４２ａが押圧され、レンズユニット１５は、上部筐体６の厚さ方向、長さ方向及び幅方向に沿った変位と、例えば、光軸が傾くような回転変位が抑制されて固定される。
この状態で、レンズユニット１５は、上部筐体６の厚さ方向、長さ方向及び幅方向に沿って正確に位置決めされて、レンズ配置部１８にずれることなく確実に固定される。
【００４７】
また、例えば、従来技術で用いられていた防塵用クッション部材が廃されたことによって、図１０に示すように、スクリーン部材１９の窓枠部１９ｂの大きさ（直径）Ｄ1は、防塵用クッション部材の組立てずれを考慮して設定されていた従来技術における大きさＤ2よりも、必要に応じて拡大することもできる。
また、上述したように、レンズユニット１５は、レンズ配置部１８にずれることなく確実に固定されるので、画角のばらつきが小さくなり、図１１に示すように、窓枠部１９ｂの大きさ（直径）Ｄ1は、レンズユニットの位置ずれによる画角のばらつきを考慮して設定されていた従来技術における大きさＤ3よりも、必要に応じて縮小することもできる。
【００４８】
このように、この例の構成によれば、上部筐体６のフロントケース８とリアケース１１とを互いに嵌合させ又は雄ねじや雌ねじ等の固定具を用いて締め付けて、当該携帯電話機１が組み立てられた際に、フロントケース８の内面に形成された押圧用リブ８ａによって、押圧用クッション部材１４が押圧され、圧縮荷重を受けて変形して、反発力によって、自身をレンズユニット１５及び押圧用リブ８ａに押し付け、これによって、レンズユニット１５の背面４２ａが押圧され、さらに、レンズユニット１５の円筒形部４３の先端面４３ａの周縁部がレンズ突当て壁４５の環状壁面４５ａに密着状態で押し付けられるので、従来技術において用いていた防塵用クッション部材を廃しても、レンズユニット１５の配置箇所を経由した外部から上部筐体６内部への塵埃の侵入を防止することができる。
【００４９】
こうして、従来技術におけるように、防塵用クッション部材を扱う際の煩わしさを解消し、防塵機能を維持しつつ、作業性を向上させ、携帯電話機を簡単に組み立てることができる。また、部品点数を削減して、コストを低減することができる。
また、従来技術においてレンズユニットとスクリーン部材との間に介在していた防塵用クッション部材を廃したので、この防塵用クッション部材の反力によってスクリーンを浮き上がらせてしまうような不具合の発生を防止することができる。
【００５０】
また、レンズ突当て壁４５の環状壁面４５ａは、上部筐体６の厚さ方向に沿った開口中心軸Ｘ1の周りに、回転対称となるように形成され、この例では、対称軸が開口中心軸Ｘ1に一致した所定の頂角の円錐の側壁面の一部に対応したリング状領域とされているいるので、先端面４３ａが円形の光学部材としてのレンズユニット１５が、そのカメラ中心軸Ｘ2が傾かないように（すなわち、光軸と開口中心軸Ｘ1とが一致するように）、先端面４３ａが環状壁面４５ａに突き当てられることによって、レンズユニット１５は、その寸法のばらつきに依らず、光軸が開口中心軸Ｘ1に一致した状態で、したがって、開口中心軸Ｘ1に直交する上部筐体６の長さ方向及び幅方向に沿って正確に位置決めされる。
【００５１】
また、押えリブ４６は、その内壁面４６ａが上部筐体６の厚さ方向に沿うように形成され、かつ、その内部にレンズユニット１５の角形部４２が嵌め込まれると共に、内壁面４６ａによって囲まれた領域の寸法が、レンズユニット１５の角形部４２の断面の寸法と略同一となるように形成されているので、レンズユニット１５が、押えリブ４６に挿入されると、カメラ中心軸Ｘ2が傾くことなく、上部筐体６の厚さ方向に沿うように姿勢が整えられた状態で、押えリブ４６の内壁面４６ａによって案内され、この状態で、レンズユニット１５の円筒形部４３の先端面４３ａの周縁部がレンズ突当て壁４５の環状壁面４５ａに突き当てられる。
【００５２】
こうして、レンズユニット１５は、そのカメラ中心軸Ｘ2が傾くことなく適正に、円筒形部４３の先端面４３ａの周縁部がレンズ突当て壁４５の環状壁面４５ａに突き当てられた状態で、上部筐体６の厚さ方向、長さ方向及び幅方向に沿って正確に位置決めされてレンズ配置部１８に配置される。
また、レンズユニット１５は、円筒形部４３の先端面４３ａの周縁部がレンズ突当て壁４５の環状壁面４５ａに突き当てられた状態で、角形部４２の外壁面４２ｂが押えリブ４６の内壁面４６ａによって押えられて、変位が規制されて固定される。すなわち、上部筐体６の長さ方向及び幅方向に沿った変位と、光軸が傾くような回転変位が抑制される。
【００５３】
さらに、上部筐体６のフロントケース８とリアケース１１とを互いに嵌合させ又は雄ねじや雌ねじ等の固定具を用いて締め付けて、当該携帯電話機１が組み立てられた際に、フロントケース８の内面に形成された押圧用リブ８ａによって、押圧用クッション部材１４が押圧され、圧縮荷重を受けて変形して、反発力によって、自身をレンズユニット１５及び押圧用リブ８ａに押し付け、これによって、レンズユニット１５の背面４２ａが押圧され、レンズユニット１５は、上部筐体６の厚さ方向、長さ方向及び幅方向に沿った変位と、例えば、光軸が傾くような回転変位が抑制されて固定される。
したがって、レンズユニット１５は、上部筐体６の厚さ方向、長さ方向及び幅方向に沿って正確に位置決めされて、ずれることなく確実にレンズ配置部１８に固定される。
【００５４】
また、一般に、スクリーン部材１９の窓枠部１９ｂの大きさは、スクリーン部材１９や、レンズユニット１５、リアケース１１等の構成部品（構成部材）のばらつき（組立ばらつき）を考慮して設定されると共に、レンズユニット１５の位置ずれによる画角のばらつきに応じて設定されるが、防塵用クッション部材が廃されたことと、レンズユニットの位置ずれが抑制されることによる画角のばらつきの最小化とによって、従来技術に比較して、窓枠部１９ｂの大きさの設定可能な範囲を拡大することができる。
【００５５】
例えば、防塵用クッション部材が廃されたことによって、スクリーン部材１９の窓枠部１９ｂの大きさを必要に応じて拡大することもできる。また、レンズユニット１５は、レンズ配置部１８にずれることなく確実に固定されるので、画角のばらつきが小さくなり、スクリーン部材１９の窓枠部１９ｂの大きさを必要に応じて縮小することもできる。
したがって、 スクリーン部材１９の窓枠部１９ｂのデザインにおける自由度を高めることができる。
【実施例２】
【００５６】
図１２は、この発明の第２の実施例である携帯電話機の要部の構成を示す断面図である。
この例が上述した第１の実施例と大きく異なるところは、第１の実施例では、レンズ突当て壁で、環状壁面を、円錐の側壁面の一部に対応したリング状領域としたのに対して、例えば、球面の一部に対応したリング状領域とした点である。
これ以外の構成は、上述した第２の実施例の構成と略同一であるので、第１の実施例と同一の構成要素については、図１２において、図１で用いた符号と同一の符号を用いて、その説明を簡略にする。
【００５７】
図１２に示すように、レンズ突当て壁６３の環状壁面６３ａは、リアケース１１Ａに設けられ、撮影用開口部１６Ａの上部筐体６Ａの厚さ方向に沿った中心軸の周りに、回転対称となるように形成されている。
この例では、環状壁面６３ａは、対称軸が撮影用開口部１６Ａの中心軸に一致した例えば球面の一部に対応したリング状領域（下に凸の曲面）とされている。この環状壁面６３ａの縦断面の輪郭は、下に凸の曲線状とされている。
【００５８】
この例の構成によれば、上述した第１の実施例と略同様の効果を得ることができる。
【００５９】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、携帯型の電子機器として、携帯電話機に適用した場合について述べたが、携帯電話機に限らず、例えば、簡易型携帯電話（ＰＨＳ）端末でも、撮影機能を有した携帯情報端末（ＰＤＡ）でも良く、携帯電話機の場合と略同一の効果を得ることができる。
また、カメラが内蔵されたノート型パーソナルコンピュータ等であっても良い。また、携帯電話機の場合は、折畳可能な携帯電話機に限らず、ストレートタイプの携帯電話機であっても良い。
【００６０】
また、レンズユニットに切換レバーを取り付け、この切換レバーの操作により、接写撮影／通常撮影の撮影モード切換が可能なように構成しても良い。
また、レンズユニットの背面側を、押圧用クッション部材を介して、フレームや回路基板によって押圧しても良い。
また、フロントケースとリアケースとを組み合わせた後に、スクリーン部材を取り付けても良い。
また、押圧用クッション部材は、予めリアケース又はレンズユニットの背面に貼り付けておくようにしても良い。
【００６１】
また、第２の実施例で、レンズ突当て壁の環状壁面を、球面の一部に対応したリング状領域としする場合について述べたが、球面に限らず、例えば、楕円体等の他の回転体の表面の一部を用いるようにしても良い。
また、この場合、縦断面の輪郭が、下に凸に限らず、上に凸の曲線となるように、レンズ突当て壁の環状壁面を形成するようにしても良い。
【産業上の利用可能性】
【００６２】
電子機器として、携帯型の電子機器のほか、一般に、撮影機能を有する電子機器の筐体にレンズユニットを実装する場合に適用できる。
【図面の簡単な説明】
【００６３】
【図１】この発明の第１の実施例である携帯電話機の要部の構成を示す断面図である。
【図２】同携帯電話機の構成を示す開状態の背面図である。
【図３】同携帯電話機の構成を示す開状態の正面図である。
【図４】同携帯電話機の構成を示すブロック図である。
【図５】同携帯電話機のレンズ実装構造の構成を説明するための分解斜視図である。
【図６】図５のＡ部を拡大して示す拡大図である。
【図７】同レンズ実装構造の構成及び同携帯電話機の組立方法を説明するための説明図である。
【図８】同レンズ実装構造の構成及び同携帯電話機の組立方法を説明するための説明図である。
【図９】同レンズ実装構造の機能を説明するための説明図である。
【図１０】同レンズ実装構造の機能を説明するための説明図である。
【図１１】同レンズ実装構造の機能を説明するための説明図である。
【図１２】この発明の第２の実施例である携帯電話機の要部の構成を示す断面図である。
【図１３】従来技術を説明するための説明図である。
【図１４】従来技術を説明するための説明図である。
【図１５】従来技術を説明するための説明図である。
【図１６】従来技術を説明するための説明図である。
【図１７】従来技術を説明するための説明図である。
【図１８】従来技術を説明するための説明図である。
【図１９】従来技術を説明するための説明図である。
【符号の説明】
【００６４】
１      携帯電話機（電子機器）
６，６Ａ      上部筐体（筐体）
１１      リアケース
１５      レンズユニット
１６，１６Ａ      撮影用開口部
１８      レンズ配置部
２５      電子カメラ部
４１      レンズ実装構造（レンズユニットの実装構造）
４２    角形部
４２ｂ    周側面
４３    円筒形部
４３ａ    先端面
４５      レンズ突当て壁
４５ａ      環状壁面
４６      押えリブ（レンズ押え部）
４６ａ      内壁面
Ｘ1      開口中心軸（撮影用開口部の中心軸）
Ｘ2      カメラ中心軸（光軸）
６３      レンズ突当て壁
６３ａ      環状壁面
【図１】
2008209662.tif 000003
【図２】
2008209662.tif 000004
【図３】
2008209662.tif 000005
【図４】
2008209662.tif 000006
【図５】
2008209662.tif 000007
【図６】
2008209662.tif 000008
【図７】
2008209662.tif 000009
【図８】
2008209662.tif 000010
【図９】
2008209662.tif 000011
【図１０】
2008209662.tif 000012
【図１１】
2008209662.tif 000013
【図１２】
2008209662.tif 000014
【図１３】
2008209662.tif 000015
【図１４】
2008209662.tif 000016
【図１５】
2008209662.tif 000017
【図１６】
2008209662.tif 000018
【図１７】
2008209662.tif 000019
【図１８】
2008209662.tif 000020
【図１９】
2008209662.tif 000021